(57)【要約】【解決手段】食品を区分けして収納するための収納部１１，１１を複数有している。各収納部１１，１１を互いに連接するための連接部１２に、連続する二段の段部１３，１４，１５を形成する。段部のうち上側の面１３ｂ，１４ｂ，１５ｂに非切断部１６を形成する。【効果】連接部１２に切断部を設けたために発生する撓みや折れ曲がりを簡単な機構で解消できる。非切断部１６から切り取れば、必要に応じて容易に小分けできる。各収納部１１，１１にそれぞれ嵌め込み得る収納部を有し、各収納部が連接部で互いに連接されている補助トレーとともに用いると、便利である。【選択図】  図１
2004306998.tif 000002
【特許請求の範囲】
【請求項１】
食品を区分けして収納するための収納部を２つ以上有し、各収納部を互いに連接するための連接部に、連続する少なくとも二段の段部を形成し、上側の段部に非切断部を位置せしめたことを特徴とする食品用トレー。
【請求項２】
各収納部の周縁部に環状の凹所が形成されていることを特徴とする請求項１記載の食品用トレー。
【請求項３】
請求項１又は２記載の食品用トレーの各収納部にそれぞれ嵌め込み得る収納部を２つ以上有するトレーであって、このトレーの各収納部が連接部で互いに連接されていることを特徴とする補助トレー。
【請求項４】
各収納部の周縁部を上に行くに従って外方向に湾曲させ、この補助トレーを請求項２記載の食品用トレーに重ね合わせたとき、前記湾曲部分が食品用トレーの環状の凹所に収まることを特徴とする補助トレー。
【請求項５】
請求項１又は２記載の食品用トレーに重ね合わせたとき、補助トレーの連接部が食品用トレーに形成されている段部のところに位置することを特徴とする請求項３又は４記載の補助トレー。
【請求項６】
連接部に切取線が形成されていることを特徴とする請求項３又は５記載の補助トレー。
【発明の詳細な説明】
【０００１】
【発明の属する技術分野】
本発明は、調理済食品、特に、油で揚げたコロッケ、フライドポテト、フライドチキンなどを区分けして収納することができ、必要に応じて小分けできるようにした食品用トレー及びこのトレーに重ね合わせて用いることができる補助トレーに関する。
【０００２】
【従来の技術】
このような食品用トレーとして、食品を区分けして収納するための収納部を２つ以上有し、各収納部を互いに連接するための連接部に凹状のリブを形成し、このリブの中心付近及び／又はリブと連結した容器の仕切り部との接点部、あるいは、リブが角形の場合であって、下底又は上底の両端及びリブと連結した仕切り部との接点部に、それぞれ切り込み線の接合部を設けたものがある（例えば、特許文献１参照）。
【０００３】
【特許文献１】
特許第３１０１５７６号（第１〜３頁、第４〜５図）
【０００４】
【発明が解決しようとする課題】
この特許は、各収納部の連接部に設けた切り込みで容易に分割することができるようにするとともに、この切り込みにおける撓みや折れ曲がりを防止し得るようにしたものである。
本発明もこのような目的を達成し得るようにしたものであって、連接部における撓みや折れ曲がりを別の機構で防止し得るようにしたものである。また、本発明の別の目的は、このようなトレーに重ね合わせて用いると極めて便利な補助トレーを提供することである。
【０００５】
なお、上記特許の場合における切り込み線の接合部ａは、リブの中心付近（図５（ａ）の場合）か、リブの中心付近及びリブと連結した容器の仕切り部との接点部（図５（ｂ）の場合）か、あるいは、リブが角形の場合には、下底又は上底の両端及びリブと連結した仕切り部との接点部（図５（ｃ）の場合）に設けられている。
【０００６】
【課題を解決するための手段】
本発明では、食品を区分けして収納するための収納部を２つ以上有し、各収納部を互いに連接するための連接部に、連続する少なくとも二段の段部を形成し、上側の段部に非切断部を位置せしめてある。
各収納部を互いに連接するための連接部をこのような機構とすることにより、食品用トレーが上方向あるいは下方向に撓もうとする際、非切断部がある上側の段部より上側の面と下側の面がいずれも壁の働きをするとともに、上側の段部に位置する非切断部が食品用トレーの撓む力を均等に分散させるから、連接部に切断部を設けたために発生する撓みや折れ曲がりを簡単な機構で解消することができる。前記非切断部から切り取れば、必要に応じて容易に小分けできる。
【０００７】
各収納部の周縁部に、環状の凹所が形成されていることが望ましい。このようにしておくと、この食品用トレーに別の補助トレーを重ね合わせたとき、前記環状の凹所に補助トレーに形成されている各収納部の周縁部が嵌まり込むから、食品用トレーの中に補助トレーが安定して収まる。
【０００８】
一方、本発明の補助トレーは、請求項１又は２記載の食品用トレーの各収納部にそれぞれ嵌め込み得る収納部を２つ以上有しており、各収納部が連接部で互いに連接されている。
補助トレーをこのようなものとすることにより、食品用トレーに容易に重ね合わせて収めることができ、非常に便利である。このような補助トレーを用いる場合には、油で揚げたコロッケ、フライドポテト、フライドチキンなどの調理済食品を区分けしてこの補助トレーの各収納部に収納し、食品用トレーとともに電子レンジで調理可能である。必要な数だけ調理したい場合でも、食品用トレーの連接部の非切断部と補助トレーの連接部を切り取れば、それぞれを容易に小分けできる。
【０００９】
補助トレーの各収納部の周縁部を上に行くに従って外方向に湾曲させ、この補助トレーを請求項２記載の食品用トレーに重ね合わせたとき、前記湾曲部分が食品用トレーの環状の凹所に収まるようにしておくことが望ましい。
このようにしておくと、補助トレーを食品用トレーに重ね合わせたとき、その中に補助トレーがすっぽりと収まる。
【００１０】
補助トレーを食品用トレーに重ね合わせたとき、補助トレーの連接部が食品用トレーに形成されている段部のところに位置するようにしておくのが望ましい。
このようにしておくと、補助トレーの連接部が食品用トレーの段部で受け止められ、補助トレーが食品用トレー内でより安定する。
【００１１】
補助トレーの連接部に切取線を形成しておくことが望ましい。このようにしておくと、必要に応じて食品用トレーを小分けしたとき、それに応じて補助トレーも容易に小分けできるので、極めて便利である。
【００１２】
【発明の実施の形態】
本発明の好ましい実施の形態を、図１〜図４に基づいて詳細に説明する。
図１（ａ）に、食品を区分けして収納するための収納部１１を６つ有し、各収納部１１を互いに連接するための連接部１２に、３つの形態をなす二段の段部１３，１４，１５を形成した食品用トレーを示す。トレー全体を図面符号１で示す。この食品用トレー１は合成樹脂製である。
各収納部１１を互いに連接するための連接部１２は、図１のＡ−Ａ線とＢ−Ｂ線上に位置しており、各線上のうち隣接する２つの収納部１１，１１の中心の領域に段部１３が、また、食品用トレー１の周縁部付近に段部１４が、さらに、４つの収納部１１に囲まれる領域に段部１５がそれぞれ形成されている。
【００１３】
図１（ａ）のＡ−Ａ線上に位置する３つの段部１３，１４，１５を、図１（ｂ）に平面的に拡大して示す。また、図１（ａ）のＢ−Ｂ線上に位置する４つの段部１３，１４，１４，１５を、図２に平面的に拡大して示す。隣接する２つの収納部１１，１１の中心の領域に位置する段部１３は平面直線状である。また、食品用トレー１の両端部付近に位置する段部１４は平面略三角形状である。さらに、４つの収納部に囲まれる領域に位置する段部１５は平面略菱形状である。
【００１４】
形態の異なるこれらの段部１３，１４，１５は、いずれも食品用トレー１の上面に相当する面１３ａ，１４ａ，１５ａ（図１（ｂ）、図２において実線で囲まれた領域）に対して一段低い面１３ｂ，１４ｂ，１５ｂ（図１（ｂ）、図２において一点鎖線で囲まれた領域）と、それよりさらに一段低い面１３ｃ，１４ｃ，１５ｃ（図１（ｂ）、図２において二点鎖線で囲まれた領域）とが連続したもので、その段数は二段である。図４に、それらを模式図として示す。
【００１５】
そして、段部１３，１４，１５のうち、上側の面１３ｂ，１４ｂ，１５ｂ（図１（ｂ）、図２において一点鎖線で囲まれた領域）にそれぞれ非切断部１６が形成されている。各非切断部１６，１６は、図１（ｂ）、図２に拡大して示すように、一点１６ａでつながっている。そして、Ａ−Ａ線とＢ−Ｂ線上前記連接部１２において、各非切断部１６，１６以外の部分では長く連続する切り目１７となっており、その両端は食品用トレー１の周縁部まで達している。
この非切断部１６を切り取れば、必要に応じて容易に小分けできる。この非切断部１６以外の連接部１２は長く連続する切り目１７となっているから、非切断部１６を切り取るだけで、容易に小分けできる。
【００１６】
この非切断部１６は、段部の中でも図１（ｂ）及び図２において一点鎖線で囲まれた領域である上側の面１３ｂ，１４ｂ，１５ｂ（図４も合わせて参照）にいずれも形成されており、食品用トレー１が上方向あるいは下方向に撓もうとする際、非切断部１６がある段部１３，１４，１５より上側の面１３ａ，１４ａ，１５ａと下側の面１３ｃ，１４ｃ，１５ｃがいずれも壁の働きをするとともに、この非切断部１６が食品用トレー１の撓む力を均等に分散させるから、その他の部分が長く連続する切り目１７となっていても、この切り目１７を設けたために発生する撓みや折れ曲がりを解消することができる。なお、各段部１３，１４，１５は二段のみに限定されるものではなく、例えば三段でもよい。これらの場合において、非切断部１６は最も低い面以外の上側のいずれかの面に形成すればよい。
【００１７】
食品用トレー１の各収納部１１，１１の周縁部には、環状の凹所１８が形成されている。各収納部１１，１１の周縁部に環状の凹所１８が形成されていると、この食品用トレー１に後述する別の補助トレー２を重ね合わせたとき、前記環状の凹所１８に補助トレー２に形成されている各収納部２１，２１の周縁部が嵌まり込むから、食品用トレー１の中に補助トレー２が安定して収まる。
【００１８】
このような食品用トレー１に、油で揚げたコロッケ、フライドポテト、フライドチキンなどの調理済食品を区分けして直接収納してもよいが、ここでは、食品用トレー１にこれとは別の補助トレーを容易に重ね合わせて収めることができるように工夫してある。次に、この補助トレーについて説明する。
この補助トレーを食品用トレー１とともに図３に示す。補助トレー全体を図面符号２で示す。この補助トレー２も合成樹脂製である。
【００１９】
この補助トレー２には、上述した食品用トレー１の各収納部１１にそれぞれ嵌め込み得る収納部２１が６つ形成されており、各収納部２１，２１が連接部２２で互いに連接されている。各連接部２２，２２は隣接する２つの収納部２１，２１の中心の領域に位置し、しかも、その幅は前記食品用トレー１の段部１３に嵌まり得る程度の細いものである。そして、各連接部２２，２２には切取線２３が形成されている。
【００２０】
補助トレー２をこのようなものとすることにより、食品用トレー１に容易に重ね合わせて収めることができ、非常に便利である。このような補助トレー２を用いる場合には、油で揚げたコロッケ、フライドポテト、フライドチキンなどの調理済食品を区分けして各収納部２１，２１に収納し、食品用トレー１とともに電子レンジで調理可能である。必要な数だけ調理したい場合でも、食品用トレー１の連接部１２の非切断部１６と補助トレー２の連接部２２に形成されている切取線２３部分を切り取れば、それぞれを容易に小分けできる。例えば、必要に応じて食品用トレー１を小分けしたとき、それに応じて補助トレー２も容易に小分けできるので、極めて便利である。
【００２１】
図３に示すように、補助トレー２の各収納部２１，２１の周縁部は上に行くに従って外方向に湾曲させてある。従って、この補助トレー２を前記食品用トレー１に重ね合わせると、前記湾曲部分が食品用トレー１の環状の凹所１８にそれぞれ収まり、その中に補助トレー２がすっぽりと収まる。
合成樹脂製のこの種の容器は上端に至るまで真直ぐか、あるいは、上端部に水平状の鍔が形成されているのが普通であるが、ここに示すように、各収納部２１，２１の周縁部が上に行くに従って外方向に湾曲している点で、従来のものとは全く異なっている。
【００２２】
また、補助トレー２を食品用トレー１に重ね合わせると、補助トレー２の細い各連接部２２，２２が食品用トレー１に形成されている各段部１３，１３のところに位置する。従って、補助トレー２の各連接部２２，２２が食品用トレー１の各段部１３，１３で受け止められ、補助トレー２が食品用トレー１内でより安定する。
なお、補助トレー２の各収納部２１，２１の内周壁は、図３に示すように、縦方向の突条をほぼ等間隔に形成するとともに、その間を平面的に窪ませてある。このようにすることで、各収納部２１，２１に収納されている調理済の食品が周壁にくっ付くことがないのみならず、電子レンジによる調理時に食品から出てくる油を流し落すことがないので、調理済の食品がべと付かない。
【００２３】
【発明の効果】
請求項１記載の発明によれば、食品用トレーが上方向あるいは下方向に撓もうとする際、非切断部がある上側の段部より上側の面と下側の面がいずれも壁の働きをするとともに、上側の段部に位置する非切断部が食品用トレーの撓む力を均等に分散させるから、前記連接部に切断部を設けたために発生する撓みや折れ曲がりを簡単な機構で解消することができる。前記非切断部から切り取れば、必要に応じて容易に小分けできる。
【００２４】
請求項２記載の発明によれば、食品用トレーに別の補助トレーを重ね合わせたとき、環状の凹所に補助トレーに形成されている各収納部の周縁部が嵌まり込むから、食品用トレーの中に補助トレーが安定して収まる。
【００２５】
請求項３記載の発明によれば、補助トレーを食品用トレーに容易に重ね合わせて収めることができるので、非常に便利である。このような補助トレーを用いることにより、油で揚げたコロッケ、フライドポテト、フライドチキンなどの調理済食品を区分けしてこの補助トレーの各収納部に収納し、食品用トレーとともに電子レンジで調理可能である。必要な数だけ調理したい場合でも、食品用トレーの連接部の非切断部と補助トレーの連接部を切り取れば、それぞれを容易に小分けできる。
【００２６】
請求項４記載の発明によれば、補助トレーを食品用トレーに重ね合わせたとき、湾曲部分が食品用トレーの環状の凹所に収まるから、食品用トレーの中に補助トレーがすっぽりと収まる。
【００２７】
請求項５記載の発明によれば、補助トレーを食品用トレーに重ね合わせたとき、補助トレーの連接部が食品用トレーに形成されている段部のところに位置してその段部で受け止められるから、補助トレーが食品用トレー内でより安定する。
【００２８】
請求項６記載の発明によれば、必要に応じて食品用トレーを小分けしたとき、それに応じて補助トレーも容易に小分けできるので、極めて便利である。
【図面の簡単な説明】
【図１】本発明による食品用トレーの一例を示すもので、（ａ）は全体を示す斜視図、（ｂ）は（ａ）のＡ−Ａ線における段部の形態を拡大して示す平面図である。
【図２】図１（ａ）のＢ−Ｂ線における段部の形態を拡大して示す平面図である。
【図３】食品用トレーに重ね合わせて用いることができる補助トレーの一例を示す斜視図で、食品用トレートレーとともに示す。
【図４】本発明による食品用トレーに形成されている段部と非切断部とを示す模式図である。
【図５】各収納部の連接部に設けた切り込みで容易に分割でき、しかも、この切り込みにおける撓みや折れ曲がりを防止し得るようにした従来の機構の一例を示す模式図である。
【符号の説明】
１…食品用トレー、２…補助トレー、１１，２１…収納部、１２，２２…連接部、１３，１４，１５…段部、１３ａ，１４ａ，１５ａ，１３ｂ，１４ｂ，１５ｂ，１３ｃ，１４ｃ，１５ｃ，…面、１６…非切断部、１７…切り目、１８…環状の凹所、２３…切取線。
【図１】
2004306998.tif 000003
【図２】
2004306998.tif 000004
【図３】
2004306998.tif 000005
【図４】
2004306998.tif 000006
【図５】
2004306998.tif 000007